(57)【要約】【課題】直感的な操作で所望の動作条件を選択して設定することができる小型で操作性の良い測定装置、および反射特性測定システムを提供する。【解決手段】面上を移動する測定装置の移動量を検出する移動検出手段を有し、制御手段は、設定モードでは、移動検出手段の検出した移動量に応じて複数の動作条件から動作条件を選択できるように表示手段の表示を変化させることを特徴とする測定装置。【選択図】図２
2011022114.tif 000002
【特許請求の範囲】
【請求項１】
動作条件を設定する設定モードと設定された前記動作条件で測定する測定モードとを切り替えて制御する制御手段と、前記制御手段に接続された表示手段とを備えた測定装置であって、
面上を移動する前記測定装置の移動量を検出する移動検出手段を有し、
前記制御手段は、
前記設定モードでは、前記移動検出手段の検出した移動量に応じて複数の動作条件から動作条件を選択できるように前記表示手段の表示を変化させることを特徴とする測定装置。
【請求項２】
前記制御手段は、
前記複数の動作条件を前記表示手段の表示画面に２次元に配列して表示し、
前記移動検出手段は、
２次元の移動方向の情報を含む前記移動量を検出できるように構成されていることを特徴とする請求項１に記載の測定装置。
【請求項３】
前記表示手段の表示を変化させることにより選択された前記動作条件を設定するスイッチを有することを特徴とする請求項１または２に記載の測定装置。
【請求項４】
前記制御手段は、
前記表示画面に複数の動作条件と動作条件を選択するポインタとを表示し、前記移動検出手段の検出した移動量に応じて前記表示画面に表示される前記ポインタを移動させ、前記スイッチの状態を検知して前記ポインタと重なって表示される動作条件を前記動作条件として設定することを特徴とする請求項３に記載の測定装置。
【請求項５】
前記制御手段は、
検出された前記移動量から求めた前記測定装置の移動方向と逆方向に前記表示画面に表示される前記ポインタを移動させることを特徴とする請求項４に記載の測定装置。
【請求項６】
前記制御手段は、
前記ポインタを前記表示画面の所定の位置に表示するとともに、前記移動検出手段の検出した前記測定装置の移動方向に応じて前記表示画面に表示している前記複数の動作条件の表示を移動させることを特徴とする請求項４に記載の測定装置。
【請求項７】
前記制御手段は、
前記測定モードで前記スイッチが所定の時間間隔で２回押下されたことを検知した場合、または所定の時間以上押下されたことを検知した場合は、前記測定モードから前記設定モードに移行することを特徴とする請求項３から６の何れか１項に記載の測定装置。
【請求項８】
前記制御手段は、
前記測定モードで前記スイッチが押下されたことを検知して、前記設定モードで設定された動作条件に基づいて前記測定を開始し、測定の結果を前記表示手段に表示することを特徴とする請求項３から７の何れか１項に記載の測定装置。
【請求項９】
前記測定装置が載置された面上の所定領域の反射特性を測定する反射特性測定手段を有することを特徴とする請求項１から８の何れか１項に記載の測定装置。
【請求項１０】
動作条件を設定する設定モードと設定された前記動作条件により所定領域の反射特性を測定する測定モードとを切り替えて制御する制御手段と前記制御手段に接続された表示手段とを備えた反射特性測定装置と、部位毎に反射特性の異なる面を備えた専用パッドと、から成る反射特性測定システムであって、
前記設定モードでは、
前記反射特性測定装置は、前記専用パッドの前記面の上に載置され、
前記制御手段は、
前記面上の前記測定域の測定値を所定の時間間隔で演算し、演算した前記測定値の変化量に基づいて前記反射特性測定装置の移動量を検出し、検出した移動量に応じて複数の動作条件から動作条件を選択できるように前記表示手段の表示を変化させることを特徴とする反射特性測定システム。
【請求項１１】
前記制御手段は、
前記複数の動作条件を前記表示手段の表示画面に２次元に配列して表示し、
前記専用パッドは、
２次元方向に対して反射特性の異なる面を備えることを特徴とする請求項１０に記載の反射特性測定システム。
【請求項１２】
前記表示手段の表示を変化させることにより選択された前記動作条件を設定するスイッチを有することを特徴とする請求項１０または１１に記載の反射特性測定システム。
【請求項１３】
前記制御手段は、
前記表示画面に複数の動作条件と動作条件を選択するポインタとを表示し、検出した移動量に応じて前記表示画面に表示される前記ポインタを移動させ、前記スイッチの状態を検知して前記ポインタと重なって表示される動作条件を前記動作条件として設定することを特徴とする請求項１２に記載の反射特性測定システム。
【請求項１４】
前記制御手段は、
検出された前記移動量から求めた前記反射特性測定装置の移動方向と逆方向に前記表示画面に表示される前記ポインタを移動させることを特徴とする請求項１３に記載の反射特性測定システム。
【請求項１５】
前記制御手段は、
前記ポインタを前記表示画面の所定の位置に表示するとともに、検出した前記反射特性測定装置の移動方向に応じて前記表示画面に表示している前記複数の動作条件の表示を移動させることを特徴とする請求項１３に記載の反射特性測定システム。
【請求項１６】
前記制御手段は、
前記測定モードで前記スイッチが所定の時間間隔で２回押下されたことを検知した場合、または所定の時間以上押下されたことを検知した場合は、前記測定モードから前記設定モードに移行することを特徴とする請求項１２から１５の何れか１項に記載の反射特性測定システム。
【請求項１７】
前記制御手段は、
前記測定モードで前記スイッチが押下されたことを検知して、前記設定モードで設定された動作条件に基づいて前記測定を開始し、測定の結果を前記表示手段に表示することを特徴とする請求項１２から１６の何れか１項に記載の反射特性測定システム。
【発明の詳細な説明】
【技術分野】
【０００１】
本発明は、測定装置、および反射特性測定システムに関する。
【背景技術】
【０００２】
一般に測定装置は、測定に先立って測定条件を設定し、所定の測定条件に従って測定した結果を表示するように構成されている。
【０００３】
例えば、測色計の場合は、測定条件には観察条件（ＣＩＥ標準イルミナントＤ５０、Ｄ６５、Ａなどの各種照明光、ＣＩＥ  １９３１あるいは１９６４観察者など）や、表色系（ＣＩＥＬ＊ａ＊ｂやＣＩＥＬ＊Ｃ＊ｈ°など）、色差式（ＣＩＥｄＥ＊＊やｄＥ９４など）、表示形式などがあり、測定に先立って設定する必要がある。測定を開始すると、測色計は、測定域に照明光を照射して反射光の分光分布を測定し、所定の測定条件に従って、分光分布を測色値に変換して表示する。
【０００４】
従来の測定装置では、測定装置の表示画面上に測定条件や各種パラメータ、オプションの機能など複数の動作条件の選択肢を表示し、選択するべき選択肢にポインタを移動して選択する方法が一般に行われている。
【０００５】
例えば、複数のスイッチを測定装置に配置し、所定のスイッチを押下することによりポインタを移動させ、所定のスイッチを押下することにより選択肢を選択する方法が開示されている（例えば、特許文献１参照）。
【０００６】
また、回転させることによりパルスを発生するダイアルとスイッチとを測定装置に配置し、ダイアルを回転することによりポインタを移動させ、スイッチを押下することにより選択肢を選択する方法が開示されている（例えば、特許文献２参照）。
【先行技術文献】
【特許文献】
【０００７】
【特許文献１】米国特許第５４８３３３９号明細書
【特許文献２】米国特許第５４２６５０８号明細書
【発明の概要】
【発明が解決しようとする課題】
【０００８】
近年、測定装置本体のより一層の小型化と表示画面の大型化が求められている。特に、片手で持ち運べる程度の小型サイズに構成された、いわゆるハンドヘルドタイプの測定装置ほどこのような要望が多い。
【０００９】
しかしながら、特許文献１に開示されている方法では、表示画面の近傍に複数のスイッチを配置するため、測定装置を小型化すると測定装置本体に複数のスイッチを操作性の良い大きさで配置することは困難である。また、特許文献１に開示されている方法は、所望の動作条件を選択するまでにスイッチを押す回数が多く、手順が複雑である。
【００１０】
一方、特許文献２に開示されている方法では、回転させることによりパルスを発生するダイアルを用いるので機構が複雑になり、測定装置のコストアップになる。また、表示画面の近傍にダイアルとスイッチを配置するため、より一層の小型化には適さない。
【００１１】
本発明は、上記課題に鑑みてなされたものであって、直感的な操作で所望の動作条件を選択して設定することができる小型で操作性の良い測定装置、および反射特性測定システムを提供することを目的とする。
【課題を解決するための手段】
【００１２】
前述の目的は、下記に記載する発明により達成される。
【００１３】
１．動作条件を設定する設定モードと設定された前記動作条件で測定する測定モードとを切り替えて制御する制御手段と、前記制御手段に接続された表示手段とを備えた測定装置であって、
面上を移動する前記測定装置の移動量を検出する移動検出手段を有し、
前記制御手段は、
前記設定モードでは、前記移動検出手段の検出した移動量に応じて複数の動作条件から動作条件を選択できるように前記表示手段の表示を変化させることを特徴とする測定装置。
【００１４】
２．前記制御手段は、
前記複数の動作条件を前記表示手段の表示画面に２次元に配列して表示し、
前記移動検出手段は、
２次元の移動方向の情報を含む前記移動量を検出できるように構成されていることを特徴とする前記１に記載の測定装置。
【００１５】
３．前記表示手段の表示を変化させることにより選択された前記動作条件を設定するスイッチを有することを特徴とする前記１または２に記載の測定装置。
【００１６】
４．前記制御手段は、
前記表示画面に複数の動作条件と動作条件を選択するポインタとを表示し、前記移動検出手段の検出した移動量に応じて前記表示画面に表示される前記ポインタを移動させ、前記スイッチの状態を検知して前記ポインタと重なって表示される動作条件を前記動作条件として設定することを特徴とする前記３に記載の測定装置。
【００１７】
５．前記制御手段は、
検出された前記移動量から求めた前記測定装置の移動方向と逆方向に前記表示画面に表示される前記ポインタを移動させることを特徴とする前記４に記載の測定装置。
【００１８】
６．前記制御手段は、
前記ポインタを前記表示画面の所定の位置に表示するとともに、前記移動検出手段の検出した前記測定装置の移動方向に応じて前記表示画面に表示している前記複数の動作条件の表示を移動させることを特徴とする前記４に記載の測定装置。
【００１９】
７．前記制御手段は、
前記測定モードで前記スイッチが所定の時間間隔で２回押下されたことを検知した場合、または所定の時間以上押下されたことを検知した場合は、前記測定モードから前記設定モードに移行することを特徴とする前記３から６の何れか１項に記載の測定装置。
【００２０】
８．前記制御手段は、
前記測定モードで前記スイッチが押下されたことを検知して、前記設定モードで設定された動作条件に基づいて前記測定を開始し、測定の結果を前記表示手段に表示することを特徴とする前記３から７の何れか１項に記載の測定装置。
【００２１】
９．前記測定装置が載置された面上の所定領域の反射特性を測定する反射特性測定手段を有することを特徴とする前記１から８の何れか１項に記載の測定装置。
【００２２】
１０．動作条件を設定する設定モードと設定された前記動作条件により所定領域の反射特性を測定する測定モードとを切り替えて制御する制御手段と前記制御手段に接続された表示手段とを備えた反射特性測定装置と、部位毎に反射特性の異なる面を備えた専用パッドと、から成る反射特性測定システムであって、
前記設定モードでは、
前記反射特性測定装置は、前記専用パッドの前記面の上に載置され、
前記制御手段は、
前記面上の前記測定域の測定値を所定の時間間隔で演算し、演算した前記測定値の変化量に基づいて前記反射特性測定装置の移動量を検出し、検出した移動量に応じて複数の動作条件から動作条件を選択できるように前記表示手段の表示を変化させることを特徴とする反射特性測定システム。
【００２３】
１１．前記制御手段は、
前記複数の動作条件を前記表示手段の表示画面に２次元に配列して表示し、
前記専用パッドは、
２次元方向に対して反射特性の異なる面を備えることを特徴とする前記１０に記載の反射特性測定システム。
【００２４】
１２．前記表示手段の表示を変化させることにより選択された前記動作条件を設定するスイッチを有することを特徴とする前記１０または１１に記載の反射特性測定システム。
【００２５】
１３．前記制御手段は、
前記表示画面に複数の動作条件と動作条件を選択するポインタとを表示し、検出した移動量に応じて前記表示画面に表示される前記ポインタを移動させ、前記スイッチの状態を検知して前記ポインタと重なって表示される動作条件を前記動作条件として設定することを特徴とする前記１２に記載の反射特性測定システム。
【００２６】
１４．前記制御手段は、
検出された前記移動量から求めた前記反射特性測定装置の移動方向と逆方向に前記表示画面に表示される前記ポインタを移動させることを特徴とする前記１３に記載の反射特性測定システム。
【００２７】
１５．前記制御手段は、
前記ポインタを前記表示画面の所定の位置に表示するとともに、検出した前記反射特性測定装置の移動方向に応じて前記表示画面に表示している前記複数の動作条件の表示を移動させることを特徴とする前記１３に記載の反射特性測定システム。
【００２８】
１６．前記制御手段は、
前記測定モードで前記スイッチが所定の時間間隔で２回押下されたことを検知した場合、または所定の時間以上押下されたことを検知した場合は、前記測定モードから前記設定モードに移行することを特徴とする前記１２から１５の何れか１項に記載の反射特性測定システム。
【００２９】
１７．前記制御手段は、
前記測定モードで前記スイッチが押下されたことを検知して、前記設定モードで設定された動作条件に基づいて前記測定を開始し、測定の結果を前記表示手段に表示することを特徴とする前記１２から１６の何れか１項に記載の反射特性測定システム。
【発明の効果】
【００３０】
本発明によれば、設定モードでは、移動検出手段が、面上を移動する測定装置の移動量を検出し、制御手段は、複数の動作条件から動作条件を選択できるように検出された移動量に応じて、表示画面上の表示を変化させる。
【００３１】
したがって、直感的な操作で所望の動作条件を選択して設定することができる小型で操作性の良い測定装置、および反射特性測定システムを提供することができる。
【図面の簡単な説明】
【００３２】
【図１】実施形態におけるハンドヘルド測色計の外観構成を示す図である。
【図２】第１の実施形態におけるハンドヘルド測色計１の構成例を示すブロック図である。
【図３】移動検出部１１として用いられる光学ユニットの一例の断面図である。
【図４】移動検出部１１の回路ブロック図の一例である。
【図５】ハンドヘルド測色計の測定手順を説明するためのフローチャートである。
【図６】測定モードで表示部１０に表示される画面表示の一例である。
【図７】設定モードで表示部１０に表示される画面表示の一例である。
【図８】スイッチ９を側面に配置したハンドヘルド測色計１の一例を示す図である。
【図９】第２の実施形態におけるハンドヘルド測色計３５の構成例を示すブロック図である。
【図１０】第２の実施形態における専用パッド３０に、ハンドヘルド測色計３５を載置した平面図である。
【発明を実施するための形態】
【００３３】
以下に本発明の実施形態を図面により説明するが、本発明は以下に説明する実施形態に限られるものではない。なお、各図において同一の符号を付した構成は、同一の構成であることを示し、その説明を省略する。
【００３４】
本実施形態では、測定装置の一例として測色計について説明する。なお、本発明は濃度計や光沢計、照度計など、動作条件を設定する設定モードと設定された動作条件で測定する測定モードとを切り替えて使用する各種測定装置にも適用できる。
【００３５】
図１は、実施形態におけるハンドヘルド測色計１の外観構成例を示す図、図２は、実施形態におけるハンドヘルド測色計１の構成例を示すブロック図である。
【００３６】
最初に、図２のブロック図を参照しながら図１を説明する。
【００３７】
図１に示すハンドヘルド測色計１の筐体１ａには、表示部１０とスイッチ９と、照明光５１、反射光５２が透過する図示せぬ開口を備えている。
【００３８】
表示部１０は、本発明の表示手段であり、液晶パネルや有機ＥＬディスプレイなどを用いることができる。
【００３９】
ハンドヘルド測色計１は、図２のように試料２０である載置面２１に載置し、スイッチ９を押すと載置面２１の測定域２０ａに照明光５１を照射し、測定域２０ａからの反射光５２の分光分布を測定して結果を表示部１０に表示する。
【００４０】
以下、図２のブロック図について詳細に説明する。
【００４１】
測定域２０ａを照明する照明光学系は、光源２と光源２の中心光軸を円筒状に囲む反射面を有する円筒面鏡３から成り、光源２の照明光５１を円筒面鏡３で反射して試料２０の測定域２０ａを面法線からの角度４５度で全方位から照明する。測定域２０ａからの反射光の法線方向の成分５２を対物レンズ４、反射鏡５、リレーレンズ６を介して、分光装置７に入射させる。
【００４２】
分光装置７は、図示せぬ回折格子とリニアセンサを備え、入射光を回折格子によりリニアセンサ上に波長分散し、入射光の分光分布に応じた信号を出力する。
【００４３】
制御部８は、ＣＰＵ（中央処理装置）と記憶部等から構成され、記憶部に記憶されているプログラムをＲＡＭ（Ｒａｎｄｏｍ  Ａｃｃｅｓｓ  Ｍｅｍｏｒｙ）に読み出し、当該プログラムに従ってハンドヘルド測色計１の各部を制御する。記憶部は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成される。
【００４４】
制御部８は、表示部１０の表示画面に表示した複数の動作条件から選択された動作条件を設定する設定モードと、設定された動作条件で測定する測定モードと、を切り替えて制御する本発明の制御手段である。
【００４５】
制御部８は、駆動部５０を介して光源２を制御するとともに、分光装置７を制御する。
【００４６】
測定モードでは、制御部８は、測定を起動するスイッチ９の押下を検出すると、光源２を点灯して測定域２０ａを照明し、分光装置７から反射光の分光分布情報を受け取る。
【００４７】
次に、制御部８は、反射光の分光分布情報を試料の分光反射特性に変換し、さらに予め設定された表色系の色彩値に変換して表示部１０に表示するとともに、設定に応じて外部インターフェース１２から、コンピュータなどの外部機器に出力する。
【００４８】
測定モードから設定モードへの移行は、スイッチ９を所定時間押下、またはダブルクリックすることによって行われる。すなわち、制御部８は、所定の時間以上押下されたことを検知した場合、または測定モードでスイッチ９が所定の時間間隔で２回押下されたことを検知した場合は、測定モードから設定モードに移行する。
【００４９】
移動検出部１１は、ハンドヘルド測色計１の筐体１ｂと一体に構成され、筐体１ｂと接する載置面２１上を移動するハンドヘルド測色計１の移動量を検出する。移動検出部１１は、本発明の移動検出手段である。
【００５０】
設定モードでは、操作者が載置面２１上でハンドヘルド測色計１を移動させると、制御部８は、表示部１０の表示画面に表示する複数の動作条件から一つの動作条件を選択するポインタなどの選択表示を、移動検出部１１の検出した移動量に応じて移動させる。
【００５１】
操作者がスイッチ９を押下すると、押下を検出した制御部８は、その時点でポインタが置かれ選択されている動作条件を設定する。操作者はハンドヘルド測色計１の移動とスイッチ９の押下を繰り返してハンドヘルド測色計１の設定を行う。
【００５２】
全ての設定が終了すると、操作者は再びスイッチ９をダブルクリック、または所定時間押下して測定モードに移行させる。
【００５３】
移動検出部１１は、例えば、光学マウスに広く用いられる光学ユニットを用いることでコストを抑えることができる。こうした光学ユニットは、例えば、Ａｇｉｌｅｎｔ  Ｔｅｃｈｎｏｌｏｇｉｅｓ社が部品番号ＡＤＮＳ−２６１０として販売するセンサおよびこのセンサ用に用意されている光学部品を用いて構成することができる。
【００５４】
この光学ユニットを、移動検出部１１に用いられる光学ユニットの一例として説明する。図３は、移動検出部１１として用いられる光学ユニットの断面図、図４は、移動検出部１１の回路ブロック図の一例である。
【００５５】
移動検出部１１は、ＬＥＤ（発光ダイオード）１８、レンズ系２２、センサ・チップ１４などから成り、載置面２１の表面を斜めから照明して載置面２１の微細なパターンを撮像するように構成されている。
【００５６】
一体構造のレンズ系２２は、照射部分および集光部分の両方を含んでいる。プリズム領域２４は照射部分を成しており、ＬＥＤ１８からの光がまず下方向に、そしてその後載置面２１の表面を照明するための所望の角度へと反射されるようになっている。この表面から反射された光はレンズ２６により集光され、センサ・チップ１４へと向けられる。
【００５７】
図４に示すセンサ・チップ１４の画像プロセッサ８４は、複数の受光素子から成るエリアセンサ８２とＤＳＰ（Ｄｉｇｉｔａｌ  Ｓｉｇｎａｌ  Ｐｒｏｃｅｓｓｏｒ）から構成され、エリアセンサ８２が撮像した画像情報をフレーム毎に比較して移動検出部１１の移動量を検出する。
【００５８】
エリアセンサ８２は、例えば毎秒１，５００回のフレームレートで連続的に載置面２１の表面画像を撮像する。ＤＳＰは、撮像された２つのフレーム画像に画像処理を行って共通する特徴部分を抽出し、特徴部分の位置を比較して移動方向と移動距離を算出し、シリアルポート８６を介して制御部８に送信する。
【００５９】
図４の９０は、各部の電圧調整および電源制御を行う素子、８８は各部に供給するクロックを発生する発振器、９２はＬＥＤ１８の制御を行う光源制御素子である。
【００６０】
なお、光学部品や回路構成はこの例に限定されるものではなく、例えば載置面２１の表面を照明する光源は、ＬＥＤのほか、半導体レーザ素子などを用いても良い。また、表示部１０の表示画面に表示する動作条件が一列に配置されている場合は、例えば移動検出部１１にリニアセンサを用いて１次元方向の移動量だけを検出するようにしても良い。
【００６１】
次に、測定モードと設定モードでの表示と動作について図５、図６、図７によって説明する。
【００６２】
図５は、ハンドヘルド測色計１の測定手順を説明するためのフローチャート、図６は、測定モードで表示部１０に表示される画面表示の一例、図７は、設定モードで表示部１０に表示される画面表示の一例である。
【００６３】
以下、図５のフローチャートの順に説明する。
【００６４】
なお、本実施形態ではハンドヘルド測色計１の電源が投入され、制御部８は、初期設定の動作条件で測定モードを実行しているものとする。
【００６５】
Ｓ１０：スイッチ９が押下されたか否かを判定するステップである。
【００６６】
制御部８は、スイッチ９の状態を検知し、押下されたか否かを判定する。
【００６７】
スイッチ９が押下されていない場合、（ステップＳ１０；Ｎｏ）、ステップＳ１０に戻る。
【００６８】
スイッチ９が押下された場合、（ステップＳ１０；Ｙｅｓ）、ステップＳ１１に進む。
【００６９】
Ｓ１１：スイッチ９が所定時間以上押下されたか否かを判定するステップである。
【００７０】
制御部８は、内部タイマにより押下された時間をカウントし、スイッチ９が所定時間以上押下されたか否かを判定する。
【００７１】
スイッチ９が所定時間以上押下されていない場合、（ステップＳ１１；Ｎｏ）、ステップＳ１２に進む。
【００７２】
Ｓ１２：測定域２０ａを測定して測定値を表示するステップである。
【００７３】
制御部８は、各部に指令して測定を実行し、測定結果を図６のように表示部１０に表示し、ステップＳ１０に戻る。
【００７４】
スイッチ９が所定時間以上押下された場合、（ステップＳ１１；Ｙｅｓ）、ステップＳ１３に進む。
【００７５】
Ｓ１３：設定モードの画面を表示するステップである。
【００７６】
制御部８は、設定モードに移行し、表示部１０に例えば図７（ａ）のように動作条件を選択する画面を表示する。
【００７７】
図７（ａ）は、最上層のメニュー画面であり、図中７１ａで示す’ＣＯＮＤＩＴＩＯＮ’（測定条件の設定）、７１ｂで示す’ＴＡＲＧＥＴ’（色差を求める場合の基準色の選択）、７１ｃで示す’ＥＤＩＴ’（測定データや基準色データの削除、移動などのデータ編集）、７１ｄで示す’ｍｅａｓ’（測定モードへの移行）の４項目の動作条件と、図中７０で示すポインタ（矢印）が表示される。ポインタ７０は、動作条件を選択する選択表示の一例である。
【００７８】
図７（ａ）の例では、ポインタ７０の矢印部分が重なって表示される’ＣＯＮＤＩＴＩＯＮ’７１ａが選択されている。
【００７９】
なお、選択表示は、ポインタ７０のような矢印形状に限定されるものではなく、操作者が動作条件の一つを選択することができればどのような形状でも良い。また、選択表示のためにポインタ７０のような表示を設けず、例えば、選択される動作条件の表示部分を、反転表示や色を変えて表示することにより選択できるようにしても良い。
【００８０】
Ｓ１４：動作条件を選択するステップである。
【００８１】
操作者は、ハンドヘルド測色計１を載置面２０に沿って移動させ、連動して移動するポインタ７０を所望の動作条件の表示と重なる位置に移動させる。
【００８２】
本実施形態のハンドヘルド測色計１では、動作条件の表示は表示画面上に固定され、操作者がハンドヘルド測色計１を移動させた方向と反対方向にポインタ７０が移動するものとする。例えば、ハンドヘルド測色計１を載置面２０の上方向に移動させると、移動検出部１１はその移動量を検出し、制御部８は、ポインタ７０を表示部１０の画面下方向に移動させる。また、同様にハンドヘルド測色計１を載置面２０の右方向に移動させると、制御部８は、ポインタ７０を表示部１０の画面左方向に移動させる。
【００８３】
このように構成すると、操作者は、直感的な操作でポインタ７０などの選択表示を移動させることができるので、容易に所望の動作条件を選択することができる。
【００８４】
また、別法として、ポインタ７０など選択表示を表示部１０の所定の位置に表示するとともに、移動検出部１１の検出したハンドヘルド測色計１の移動方向に応じて表示部１０上に表示している複数の動作条件の表示を移動させても良い。例えば、ハンドヘルド測色計１を載置面２０の上方向に移動させると、移動検出部１１はその移動量を検出し、制御部８は、ポインタ７０は動かさずに動作条件の表示を表示部１０の画面下方向に移動させ、図７（ａ）に示す７１ｄの’ｍｅａｓ’を図７（ａ）に示す位置に固定されたポインタ７０の矢印に重なるようにすることもできる。
【００８５】
このような構成にすると、操作者は、直感的な操作で動作条件の表示を移動させ、固定されたポインタ７０など選択表示に重ねることができるので、容易に所望の動作条件を選択することができる。
【００８６】
Ｓ１５：スイッチ９が押下されたか否かを判定するステップである。
【００８７】
制御部８は、スイッチ９の状態を検知し、押下されたか否かを判定する。
【００８８】
スイッチ９が押下されていない場合、（ステップＳ１５；Ｎｏ）、ステップＳ１４に戻って動作条件の選択を継続する。
【００８９】
スイッチ９が押下された場合、（ステップＳ１５；Ｙｅｓ）、ステップＳ１６に進む。
【００９０】
Ｓ１６：スイッチ９が所定時間以上押下されたか否かを判定するステップである。
【００９１】
制御部８は、内部タイマにより押下された時間をカウントし、スイッチ９が所定時間以上押下されたか否かを判定する。
【００９２】
スイッチ９が所定時間以上、押下された場合、（ステップＳ１６；Ｙｅｓ）、ステップＳ１０に進む。
【００９３】
すべての設定終了後、操作者がスイッチ９を所定時間押下すると、制御部８はこれを検知して変更された条件で測定モードに移行し、ステップＳ１０に進む。
【００９４】
スイッチ９が所定時間以上押下されていない場合、（ステップＳ１６；Ｎｏ）、ステップＳ１７に進む。
【００９５】
Ｓ１７：選択された動作条件を設定するステップである。
【００９６】
制御部８は、ポインタ７０の示す動作条件を設定し、ステップＳ１３に戻る。
【００９７】
例えば、図７（ａ）のメニュー画面で７１ａで示す’ＣＯＮＤＩＴＩＯＮ’を選択・設定されると、ステップＳ１３では図７（ｂ）に示す測定条件設定画面に移行する。
【００９８】
測定条件設定画面では、図７（ｂ）のように表色系（Ｌ＊ａ＊ｂ＊、Ｌ＊Ｃ＊ｈ）、色差式（ｄＥ＊、ｄＥ９４、ｄＥ２０００、ＣＭＣ）、照明光（Ｄ５０、Ｄ６５）、標準観察者（１９３１、１９６４）およびｍｅｎｕ（メニュー画面への移行）、ｍｅａｓ（測定モードへの移行）の１２項目の動作条件とポインタ７０が表示される。
【００９９】
１２項目の動作条件（測定条件）は、図７（ｂ）の例では表示部１０の表示画面上に４行３列で２次元的に配列されている。
【０１００】
測定条件である表色系、色差式、照明光、標準観察者については、それぞれ現在選択されているものが図中７２ａ、７３ｂ、７４ａ、７４ｄで示すように反転表示されている。
【０１０１】
図７（ｂ）の表示画面でも同様に、ステップＳ１４ではハンドヘルド測色計１を移動させて測定条件ごとに希望の項目にポインタを移動し、ステップＳ１５でスイッチ９を押下すると選択された項目が反転表示され、測定条件が変更される。
【０１０２】
なお、操作者が、ステップＳ１４でポインタ７０を図中７２ｄで示す表示’ｍｅａｓ’に移動させ、ステップＳ１５でスイッチ９を押下した場合も測定モードへ移行するようにしても良い。また、操作者が、他の設定を行う場合は、ポインタ７０を図中７２ｃで示す表示’ｍｅｎｕ’に移動し、スイッチ９を押下して図７（ａ）のメニュー画面に戻る。
【０１０３】
フローチャートの説明は以上である。
【０１０４】
なお、本実施形態ではハンドヘルド測色計１の電源投入時には測定モードになる例を説明したが、電源投入時に設定モードになるようにしても良い。
【０１０５】
このように、ハンドヘルド測色計１に設けた１つのスイッチ９を、測定開始を指令するスイッチと、動作条件の選択スイッチとして兼用することができる。また、スイッチ９の操作により直感的に表示画面に表示された動作条件を設定できる。
【０１０６】
スイッチ９は、ポインタ７０などの画面内の表示を移動させるためには用いないので、表示部１０の表示面と同じ面にある必要も、近傍にある必要もない。したがって、図８に示すようにハンドヘルド測色計１の筐体の側面などに配置することができる。これによって、外形デザインの自由度が増し、保持しやすく操作しやすい形状が可能になり、より大きなディスプレイの搭載も可能になる。
【０１０７】
次に、図９、図１０を用いて本発明に係る反射特性測定システムの実施形態を説明する。本実施形態の反射特性測定システムは、反射特性測定装置と、反射特性測定装置の動作条件を設定するために用いる専用パッドと、から成る。
【０１０８】
反射特性測定装置は、測定域を照明手段で照明し、設定された動作条件に基づいて測定域からの反射光を測定し、その結果をやはり設定された動作条件に基づいて反射特性に変換して表示手段に表示する装置であり、例えば、測色計、濃度計、光沢計などである。本実施形態では、反射特性測定装置としてハンドヘルド測色計３５を用いる例を説明する。
【０１０９】
図９は、第２の実施形態におけるハンドヘルド測色計３５の構成例を示すブロック図、図１０は、第２の実施形態における専用パッド３０にハンドヘルド測色計３５を載置した平面図、である。
【０１１０】
図２のブロック図で説明したハンドヘルド測色計１が移動検出部１１を備えているのに対し、本実施形態のハンドヘルド測色計３５は、図９のブロック図に示すように移動検出部１１を備えていない。
【０１１１】
そのため、測定モードでは、図１０のように専用パッド３０にハンドヘルド測色計３５を載置し、制御部８が所定の時間間隔で測定を行って測色値の変化からハンドヘルド測色計３５の移動量を検出している。
【０１１２】
その他のハンドヘルド測色計１と同じ機能を有する構成要素には、同番号を付し説明を省略する。
【０１１３】
制御部８は、表示部１０に表示した複数の動作条件から選択された動作条件を設定する設定モードと、測定域を光源２と円筒面鏡３から成る照明手段で照明し、設定された動作条件により測定域からの反射光５２に基づいて反射特性の測定値を演算し表示部１０に表示する測定モードと、を切り替えて制御する。
【０１１４】
設定モードでは、図１０に示す専用パッド３０の有効域３０ａ上にハンドヘルド測色計１を載置し、操作者が、有効域３０ａの上でハンドヘルド測色計１を移動させると、移動量に応じて表示部１０に表示されている例えばポインタ７０が画面上で移動する。
【０１１５】
専用パッド３０は、樹脂やゴム等から成る板材の表面に、図１０の左右の軸方向には青（Ｂ）から黄（Ｙ）に、図中上下の軸方向には緑（Ｇ）から赤（Ｒ）に、距離に応じて連続的に反射特性が変化する二次元的な色分布の有効域３０ａが形成されている。
【０１１６】
このような専用パッド３０の有効域３０ａ上にハンドヘルド測色計３５を載置し、ハンドヘルド測色計３５を移動させながら所定の時間間隔で測色すると、測色値の変化からハンドヘルド測色計３５の移動量を検出することができる。
【０１１７】
なお、本実施形態では、専用パッド３０が二次元的な色分布を持っている例を説明するが、反射特性測定装置が所定の時間間隔で専用パッド３０の反射特性を測定し、測定した値の変化から反射特性測定装置の移動量を検出できるのであればどのような反射特性分布でも良い。例えば、反射特性測定装置が測定可能であれば濃度分布や光沢分布を有する専用パッド３０でも良い。また、ハンドヘルド測色計３５の移動方向の検出が一方向で良い場合は、１方向だけ専用パッド３０の分光特性を変えれば良い。
【０１１８】
このように、本実施形態の反射特性測定システムでは、設定モードで専用パッド３０を用いてハンドヘルド測色計３５の移動量を検出するので、移動検出部１１を設ける必要がない。したがって、ハンドヘルド測色計３５をより小型化することが可能になり、またコストも低減することができる。
【０１１９】
ハンドヘルド測色計３５の測定モードと設定モードでの操作手順は、図５で説明したハンドヘルド測色計１の操作手順と基本的には同じであり、異なる点を中心に図５のフローチャートを参照しながら説明する。
【０１２０】
以下、図５のフローチャートの順に反射特性測定システムの操作手順を説明する。
【０１２１】
なお、本実施形態ではハンドヘルド測色計３５の電源が投入され、制御部８は、初期設定の動作条件で測定モードを実行しているものとする。また、測定モードでは、ハンドヘルド測色計３５は、図９のように試料２０の上に載置されているものとする。
【０１２２】
Ｓ１０：スイッチ９が押下されたか否かを判定するステップである。
【０１２３】
制御部８は、スイッチ９の状態を検知し、押下されたか否かを判定する。
【０１２４】
スイッチ９が押下されていない場合、（ステップＳ１０；Ｎｏ）、ステップＳ１０に戻る。
【０１２５】
スイッチ９が押下された場合、（ステップＳ１０；Ｙｅｓ）、ステップＳ１１に進む。
【０１２６】
Ｓ１１：スイッチ９が所定時間以上押下されたか否かを判定するステップである。
【０１２７】
制御部８は、内部タイマにより押下された時間をカウントし、スイッチ９が所定時間以上押下されたか否かを判定する。
【０１２８】
スイッチ９が所定時間以上押下されていない場合、（ステップＳ１１；Ｎｏ）、ステップＳ１２に進む。
【０１２９】
Ｓ１２：測定域２０ａを測定し、測定値を表示するステップである。
【０１３０】
制御部８は、各部に指令して測定を実行し、測定結果を図６のように表示部１０に表示し、ステップＳ１０に戻る。
【０１３１】
スイッチ９が所定時間以上押下された場合、（ステップＳ１１；Ｙｅｓ）、ステップＳ１３に進む。
【０１３２】
Ｓ１３：設定モードの画面を表示するステップである。
【０１３３】
制御部８は、設定モードに移行し、表示部１０に例えば図１０のように動作条件を選択する画面を表示する。
【０１３４】
操作者は、ハンドヘルド測色計３５を図９のように専用パッド３０上の有効域３０ａに載置する。制御部８は、設定モードでは、所定の時間間隔で有効域３０ａの測定を実行し、測定値の変化からハンドヘルド測色計３５の移動距離と移動方向を算出する。
【０１３５】
Ｓ１４：動作条件を選択するステップである。
【０１３６】
操作者は、ハンドヘルド測色計３５を載置面２０に沿って移動させ、連動して移動するポインタ７０を所望の動作条件の表示と重なる位置に移動させる。
【０１３７】
本実施形態のハンドヘルド測色計３５では、動作条件の表示は表示画面上に固定され、操作者がハンドヘルド測色計１を移動させた方向と反対方向にポインタ７０が移動するものとする。
【０１３８】
このように構成すると、操作者は、直感的な操作でポインタ７０などの選択表示を移動させることができるので、容易に所望の動作条件を選択することができる。
【０１３９】
また、別法として、ポインタ７０など選択表示を表示部１０の所定の位置に表示するとともに、制御部８の検出したハンドヘルド測色計１の移動方向に応じて表示部１０上に表示している複数の動作条件の表示を移動させても良い。
【０１４０】
このような構成にすると、操作者は、直感的な操作で動作条件の表示を移動させ、固定されたポインタ７０に選択表示を重ねることができるので、容易に所望の動作条件を選択することができる。
【０１４１】
Ｓ１５：スイッチ９が押下されたか否かを判定するステップである。
【０１４２】
制御部８は、スイッチ９の状態を検知し、押下されたか否かを判定する。
【０１４３】
スイッチ９が押下されていない場合、（ステップＳ１５；Ｎｏ）、ステップＳ１４に戻って動作条件の選択を継続する。
【０１４４】
スイッチ９が押下された場合、（ステップＳ１５；Ｙｅｓ）、ステップＳ１６に進む。
【０１４５】
Ｓ１６：スイッチ９が所定時間以上押下されたか否かを判定するステップである。
【０１４６】
制御部８は、内部タイマにより押下された時間をカウントし、スイッチ９が所定時間以上押下されたか否かを判定する。
【０１４７】
スイッチ９が所定時間以上、押下された場合、（ステップＳ１６；Ｙｅｓ）、ステップＳ１０に進む。
【０１４８】
すべての設定終了後、操作者がスイッチ９を所定時間押下すると、制御部８はこれを検知して変更された条件で測定モードに移行し、ステップＳ１０に進む。
【０１４９】
スイッチ９が所定時間以上押下されていない場合、（ステップＳ１６；Ｎｏ）、ステップＳ１７に進む。
【０１５０】
Ｓ１７：選択された動作条件を設定するステップである。
【０１５１】
制御部８は、ポインタ７０の示す動作条件を設定し、ステップＳ１３に戻る。
【０１５２】
フローチャートの説明は以上である。
【０１５３】
なお、本実施形態ではハンドヘルド測色計３５の電源投入時には測定モードになる例を説明したが、電源投入時に設定モードになるようにしても良い。
【０１５４】
本実施の形態によれば、直感的な操作で所望の動作条件を選択して設定することができる小型で操作性の良い測定装置、および反射特性測定システムを提供することができる。
【符号の説明】
【０１５５】
１  ハンドヘルド測色計
２  光源
３  円筒面鏡
４  対物レンズ
５  反射鏡
６  リレーレンズ
７  分光装置
８  制御部
９  スイッチ
１０  表示部
１１  移動検出部
１４  センサ・チップ
１８  ＬＥＤ
２０  試料
２１  載置面
２６  レンズ
３０  専用パッド
３５  ハンドヘルド測色計
８２  エリアセンサ
８４  画像プロセッサ
【図１】
2011022114.tif 000003
【図２】
2011022114.tif 000004
【図３】
2011022114.tif 000005
【図４】
2011022114.tif 000006
【図５】
2011022114.tif 000007
【図６】
2011022114.tif 000008
【図７】
2011022114.tif 000009
【図８】
2011022114.tif 000010
【図９】
2011022114.tif 000011
【図１０】
2011022114.tif 000012